(57)【特許請求の範囲】
【請求項１】
冷蔵庫または冷凍庫のキャビネットであって、円筒状反射面を備えた反射器によりキャビネットの物品用貯蔵空間を照らすランプを備え、該ランプを鉛直面内に拡がる貯蔵空間へのアクセス開口の水平方向に延びる縁部よりも手前にかつ上方に配置してランプによりアクセス開口を介し貯蔵空間を照らすようにしたキャビネットにおいて、反射器が第１の部分を具備し、該第１の部分の断面が楕円の一部の形状をなし、該第１の部分の凹部がアクセス開口に対面しており、ランプが線の形状で光るフィラメントを有し、該線が上記縁部に対し平行にかつ上記楕円の焦点の一方を通って延び、楕円の他方の焦点が縁部に極めて近接しつつ該縁部の外側に位置し、それによりフィラメントからの光がまず反射器の第１の部分により反射され、次いで上記他方の焦点を通るよう屈折されて貯蔵空間内に向かうようにしたキャビネット。
【請求項２】
上記反射器が第２の部分を具備し、該第２の部分の断面が円の一部の形状をなし、該円の中心が上記フィラメント内にあり、該第２の部分がフィラメントから上記第１の部分へ直接放射されない光を捕捉して該光を第１の部分に向けて反射するようにした請求項１に記載のキャビネット。
【請求項３】
上記反射器が第３の部分を具備し、該第３の部分の断面が放物線の一部の形状をなし、該放物線の焦点が上記フィラメント内にあり、反射器の該第３の部分が反射器の上記第１および第２の部分に隣接しつつこれら第１および第２の部分間に配置されてフィラメントからの光をビームの形状に反射するようにした請求項２に記載のキャビネット。
【請求項４】
上記キャビネットに上記貯蔵空間の下方において引き出し可能に配置された少なくとも１つの引き出しが設けられており、引き出しが引き出されたときに上記平行光線の平行ビームが下方に進行して引き出しに到るようにした請求項３に記載のキャビネット。
【請求項５】
上記反射器の第１の部分が固定部分と、該固定部から吊り下げられかつ該固定部に回転可能に取り付けられた延長部分とに分割されており、上記アクセス開口のドアが閉鎖されたときに該ドアにより延長部分が折り返されるようにした請求項１から請求項４までのいずれか一項に記載のキャビネット。
【発明の詳細な説明】
【０００１】
【発明の属する技術分野】
本発明は冷蔵庫または冷凍庫のキャビネットに関する。特に本発明は、冷蔵庫または冷凍庫のキャビネットであって、円筒状反射面を備えた反射器によりキャビネットの物品用貯蔵空間を照らすランプを備え、このランプを鉛直面内に拡がる貯蔵空間へのアクセス開口の水平方向に延びる縁部よりも手前にかつ上方に配置してランプによりアクセス開口を介し貯蔵空間を照らすようにしたキャビネットに関する。
【０００２】
【従来の技術】
このようなキャビネットは米国特許第２１５３８５１号明細書により公知である。この場合の反射器の断面は逆Ｕ字状をなしている。詳細に記載されていない管状ランプが反射器内に配置され、上記米国特許明細書の図２から判断すると、この反射器からの光はアクセス開口を介して内部に向かうよりもアクセス開口の外側に向かうほうが多いようである。
【０００３】
【発明が解決しようとする課題】
本発明の目的は公知のキャビネットを改良して貯蔵空間内の照明を実質的に改良することにある。
【０００４】
【課題を解決するための手段】
この目的は、反射器が第１の部分を具備し、第１の部分の断面が楕円の一部の形状をなし、第１の部分の凹部がアクセス開口に対面しており、ランプが第１の線の形状で光るフィラメントを有し、第１の線が上記縁部に対し平行にかつ上記楕円の焦点の一方を通って延び、楕円の他方の焦点が縁部に極めて近接しつつ縁部の外側に位置し、それによりフィラメントからの光がまず反射器の第１の部分により反射され、次いで上記他方の焦点を通るよう屈折されて貯蔵空間内に向かうようにした本発明による冷蔵庫または冷凍庫により達成される。
【０００５】
【発明の実施の形態】
本発明によるキャビネットの様々な実施態様を添付図面を参照して以下に説明する。
図１を参照すると、参照番号１０は冷蔵庫のキャビネットを示しており、このキャビネット１０は水平面内に拡がる物品用棚１４を備えた貯蔵空間１２を有する。これらの棚１４にはキャビネットの鉛直面内に拡がるアクセス開口１６からアクセス可能になっている。棚１４を透明板から形成し或いはグリル状にすることができる。アクセス開口１６はドア１８により閉鎖可能であり、このドア１８は従来通りアクセス開口１６の一側に位置する鉛直軸線回りに回転可能に軸支される。貯蔵空間１２はその頂部に断熱屋根２０を備える。この屋根２０はその前方において平坦面２２により終端し、ドア１８のシール部材はこの平坦面２２に対してシールするようになっている。屋根２０の上に四角形板状のハウジング２４が配置される。このハウジング２４は帯状平坦面２６において平坦面２２から、ドアの厚さにほぼ等しい距離だけ突出してドア１８を閉めたときにハウジング２４の前面２８がドア１８の外側３０と同一平面内に位置するようにしている。帯状平坦面２６内に位置する開口３２よりも上方のハウジング２４内にハロゲンランプ３４が配置され、このランプ３４は反射器３６により光を、キャビネットの水平方向に延びる直線状の縁部３８を通過しアクセス開口１６を介して貯蔵空間１２内に光を照射する。縁部３８は平坦面２２と屋根２０の下面４０間に形成されている。反射器３６は縁部３８に対し平行な複数の線により形成された円筒状の反射面を有する。
【０００６】
図２を参照すると、ランプ３４はフィラメント４２を有し、このフィラメント４２は軸線４４の短距離に沿って直線状に光る。この軸線４４もまた縁部３８に対し平行である。
図３を参照すると、反射器３６の円筒状反射面は第２の円−円筒状部分４６を備え、この部分４６は開口３２の内縁部における位置４８から延びてハウジング２４内の位置５０に到る。部分４６の中心はフィラメント４２内にある。反射器３６はさらに第１の楕円−円筒状部分５２を備え、この部分５２はハウジング２４内の別の位置５４から延びて開口３２の外縁部における位置５６に到る。部分５２の焦点の一方はフィラメント４２内にあり、他方の焦点は縁部３８に対し平行でありかつ縁部３８よりも手前にかつ縁部３８の近くに位置する線５８内にある。その結果、フィラメント４２が部分４６を照らす光が部分５２に向けて反射せしめられ、次いで部分５２はこの光を、焦点５８を通って貯蔵空間１２内に反射する。図３に示す実施態様において、部分４６，５２がフィラメント４２と形成する各角度６０は約１００度である。したがって、部分４６，５２はフィラメント４２からの光を約２００／３６０＝５６％だけ集めると共に貯蔵空間１２内に反射することになる。
【０００７】
部分５２を折り畳み式楕円−円筒状部分５２Ａでもって延長することにより、フィラメント４２からさらに多くの光を貯蔵空間１２内へ向かわせることができる。この部分５２Ａは、折り畳み下方位置において焦点がフィラメント４２内と線５８内とにあり、かつ位置５６に位置する水平軸線６１回りに回転可能に軸支され、かつドア１８が開放されたときに図４において破線で示される位置Ａから位置Ｂまで折り畳み式に下方に移動する。相対角度６０はこの場合約１５０度であり、このため部分４６，５２，５２Ａはフィラメント４２からの光の約３００／３６０＝８３％を貯蔵空間１２内へ反射するようになる。
【０００８】
図５に示す冷蔵庫の実施態様において、物品用引き出し６２が貯蔵空間１２の下方に配置される。このような引き出し６２が引き出されたときにこの引き出し６２を照らすために、焦点がフィラメント４２内にある放物線−円筒状反射器部分６４を円−円筒状反射器部分４６と楕円−円筒状反射器部分５２間に配置して部分６４が平行光線ビーム６６をアクセス開口１６を通過して引き出し６２まで反射するようにすることができる。
【０００９】
図７を参照すると、フィラメント４２が反射器３６の長さＬの大部分ｌに沿って延びるようにランプ３４を形成することができる。図２に示されるように、反射器３６には下縁７０を備えた切り妻部６８が設けられており、フィラメント４２および反射器３６からの光がアクセス開口１６の鉛直方向に延びる２つの制限縁７２に同一高さにおいて当たるように下縁７０をこれらフィラメントおよび反射器に対して配置する。ランプ３４は必ずしもハロゲンランプである必要はなく、ランプ３４を通常のグローランプ型から形成することもできる。
【図面の簡単な説明】
【図１】キャビネットの貯蔵空間の手前かつ上部に配置されて反射器により貯蔵空間を照らすランプを備えた冷蔵庫の上部部分の鉛直断面図である。
【図２】ランプが短い線状フィラメントを備えたハロゲンランプから形成されている、図１の線ＩＩ−ＩＩに沿ってみた断面図である。
【図３】図１のランプ周りの領域の拡大図である。
【図４】貯蔵空間へのドアを開けたときに反射器の一部が下方に移動するようになっている実施態様を示す図である。
【図５】貯蔵空間の下方に引き出しが配置されており、反射器からの光がランプから下方に進行して引き出されている一つの引き出しに向かうように反射器の一部が形成されている冷蔵庫の別の実施態様の鉛直方向断面図である。
【図６】図５のランプ周りの拡大図である。
【図７】ランプが比較的長い線状フィラメントを備えたハロゲンランプから形成されている、図２と同様の断面図である。
【符号の説明】
１０…キャビネット
１２…貯蔵空間
１６…アクセス開口
３４…ランプ
３６…反射器
３８…縁部
４２…フィラメント
４６…円−円筒状部分
５２…楕円−円筒状部分
６４…放物線−円筒状部分
６２…引き出し
【図１】
0004065344.tif 000002
【図２】
0004065344.tif 000003
【図３】
0004065344.tif 000004
【図４】
0004065344.tif 000005
【図５】
0004065344.tif 000006
【図６】
0004065344.tif 000007
【図７】
0004065344.tif 000008